(57)【要約】【課題】車室内に出力される音楽を予めシミュレーションした上で調整できるとともに、オーディオ装置の製造価格を低減させる「シミュレーション装置、シミュレーションシステム及びシミュレーションプログラム」を提供することを目的とする。【解決手段】車両情報及び音楽情報の音質を調整する調整情報を入力する入力部１と、前記音楽情報と前記調整情報とから調整済みの音楽情報を生成する音楽情報生成部５と、前記調整済みの音楽情報と前記車両情報とから車室内に出力される音楽のシミュレーション情報を生成するシミュレーション情報生成部７と、前記シミュレーション情報を画像として表示する表示部１１と、前記シミュレーション情報を音楽として再生する音楽再生部１２と、前記調整済みの音楽情報を外部へ送信する送信部９と、を備えることを特徴とする。【選択図】図１
2008022093.tif 000002
【特許請求の範囲】
【請求項１】
車両情報及び音楽情報の音質を調整する調整情報を入力する入力部と、
前記音楽情報と前記調整情報とから調整済みの音楽情報を生成する音楽情報生成部と、
前記調整済みの音楽情報と前記車両情報とから車室内に出力される音楽のシミュレーション情報を生成するシミュレーション情報生成部と、
前記シミュレーション情報を画像として表示する表示部と、
前記シミュレーション情報を音楽として再生する音楽再生部と、
前記調整済みの音楽情報を外部へ送信する送信部と、
を備えることを特徴とする、シミュレーション装置。
【請求項２】
サーバ装置にネットワークを介して接続されるシミュレーション装置であって、
車両情報及び音楽情報の音質を調整する調整情報を入力する入力部と、
前記サーバ装置が有する音楽情報と前記調整情報とから前記サーバ装置の音楽情報生成部によって調整済み音楽情報が生成され、当該調整済み音楽情報と前記車両情報とから前記サーバ装置のシミュレーション情報生成部によって車室内に出力される音楽のシミュレーション情報が生成され、当該シミュレーション情報を画像として表示する表示部と、
前記シミュレーション情報を音楽として再生する音楽再生部と、
前記調整済みの音楽情報を外部へ送信する送信部と、
を備えることを特徴とする、シミュレーション装置。
【請求項３】
請求項１または２に記載のシミュレーション装置と、
前記シミュレーション装置から送信される前記調整済みの音楽情報を記録する記録媒体と、
前記記録媒体に記録される前記調整済みの音楽情報が入力され、前記調整済みの音楽情報を音楽として出力する車載用のオーディオ装置と、
を備えることを特徴とするシミュレーションシステム。
【請求項４】
前記記録媒体は、携帯用オーディオ装置であることを特徴とする、請求項３に記載のシミュレーションシステム。
【請求項５】
車両情報及び音楽情報の音質を調整する調整情報を入力させ、
前記音楽情報と前記調整情報とから調整済みの音楽情報を生成させ、
前記調整済みの音楽情報と前記車両情報とから車室内に出力される音楽のシミュレーション情報を生成させ、
前記シミュレーション情報を画像として表示させ、
前記シミュレーション情報を音楽として再生させ、
前記調整済みの音楽情報を外部へ送信させることを特徴とする、シミュレーションプログラム。
【発明の詳細な説明】
【技術分野】
【０００１】
本発明は、シミュレーション装置に関し、特に、車室内に出力される音楽の音圧分布や周波数特性等をシミュレーションするシミュレーション技術に関する。
【背景技術】
【０００２】
近年、インターネット上からＰＣ（Personal Computer）等にダウンロードした圧縮音楽情報を、ＰＣ等に接続された携帯用オーディオ装置に記録することで、屋外で音楽を楽しむことができるようになっている。さらに、当該携帯用オーディオ装置を、例えば、車載用のオーディオ装置（以下、オーディオ装置という。）に接続して、携帯用オーディオ装置に記録された圧縮音楽情報をオーディオ装置に転送し、車室内で音楽を楽しむこともできるようになっている。
【０００３】
このようなオーディオ装置には、車室内に出力される音質特性の乱れを補正（調整）する機能や、圧縮音楽情報の音質特性を向上する機能（以下、イコライザ機能という。）が搭載されており、これらの機能は、例えば、特許文献１に開示される。
【０００４】
特許文献１によれば、携帯用オーディオ装置は小型化の要請からイコライザ機能が数種類に限られているが、より柔軟なイコライザ機能を実現するために、ＰＣにインストールされたイコライザ設定ソフトウェアを使用するようにしている。そして、当該イコライザ設定ソフトウェアによって設定された周波数特性情報を携帯用オーディオ装置に転送し、携帯用オーディオ装置に内蔵されるＤＳＰ（Digital Signal Processor）によって予め記録されている音楽情報を調整し、調整された音楽を携帯用オーディオ装置から出力するようにしている。
【特許文献１】特開２０００−７７９６０号公報
【発明の開示】
【発明が解決しようとする課題】
【０００５】
上述したような、ＰＣ等にインストールされたイコライザ設定ソフトウェアによって予め周波数特性情報を生成し、当該周波数特性情報を転送される側のオーディオ装置によって音楽情報に調整し、調整済みの音楽情報を出力する仕組みでは、オーディオ装置に音楽情報を調整するための半導体集積回路を別途搭載する必要があるため、オーディオ装置の製造価格が高騰するという問題点がある。
【０００６】
特に、車室内に使用されるオーディオ装置においては、設置スペースの狭さからイコライザ設定ソフトウェア等を表示するディスプレイの大きさが限定され、それによって、イコライザ設定ソフトウェアの詳細な表示が難しいという問題点もある。
【０００７】
本発明は上述した問題点に鑑みてなされたものであり、車室内に出力される音楽を予めシミュレーションした上で調整できるとともに、オーディオ装置の製造価格を低減させることが可能なシミュレーション装置、シミュレーションシステム及びシミュレーションプログラムを提供することを目的とする。
【課題を解決するための手段】
【０００８】
上述した問題点を解決するために、本発明のシミュレーション装置は、車両情報及び音楽情報の音質を調整する調整情報を入力する入力部と、前記音楽情報と前記調整情報とから調整済みの音楽情報を生成する音楽情報生成部と、前記調整済みの音楽情報と前記車両情報とから車室内に出力される音楽のシミュレーション情報を生成するシミュレーション情報生成部と、前記シミュレーション情報を画像として表示する表示部と、前記シミュレーション情報を音楽として再生する音楽再生部と、前記調整済みの音楽情報を外部へ送信する送信部と、を備えることを特徴とする。このような構成により、車室内に出力される調整済みの音楽情報をシミュレーション装置によってシミュレーションすることができ、ユーザにとって最も望ましい音楽情報をシミュレーション装置で生成した上で、外部に送信することが可能となる。
【０００９】
また、本発明のシミュレーション装置は、サーバ装置にネットワークを介して接続されるシミュレーション装置であって、車両情報及び音楽情報の音質を調整する調整情報を入力する入力部と、前記サーバ装置が有する音楽情報と前記調整情報とから前記サーバ装置の音楽情報生成部によって調整済み音楽情報が生成され、当該調整済み音楽情報と前記車両情報とから前記サーバ装置のシミュレーション情報生成部によって車室内に出力される音楽のシミュレーション情報が生成され、当該シミュレーション情報を画像として表示する表示部と、前記シミュレーション情報を音楽として再生する音楽再生部と、前記調整済みの音楽情報を外部へ送信する送信部と、を備えることを特徴とする。このような構成により、調整済みの音楽情報やシミュレーション情報をサーバ装置によって生成することができ、シミュレーション装置の負荷を低減させることができるとともに、サーバ装置で生成したシミュレーション情報を表示部に表示したり、調整済みの音楽情報を外部に送信したりすることが可能となる。
【００１０】
また、本発明のシミュレーションシステムは、上述したシミュレーション装置と、前記シミュレーション装置から送信される前記調整済みの音楽情報を記録する記録媒体と、前記記録媒体に記録される前記調整済みの音楽情報が入力され、前記調整済みの音楽情報を音楽として出力する車載用のオーディオ装置と、を備えることを特徴とする。このような構成により、調整済みの音楽情報を、例えば、半導体メモリ等の記録媒体に転送し、さらに、車載用のオーディオ装置に転送することができ、オーディオ装置において音楽情報を調整しないでも、調整済みの音楽情報を車室内に出力することが可能となる。
【００１１】
また、本発明は、前記記録媒体が、携帯用オーディオ装置であることを特徴とする。前記記録媒体は、携帯用オーディオ装置であってもよい。
【００１２】
また、本発明のシミュレーションプログラムは、車両情報及び音楽情報の音質を調整する調整情報を入力させ、前記音楽情報と前記調整情報とから調整済みの音楽情報を生成させ、前記調整済みの音楽情報と前記車両情報とから車室内に出力される音楽のシミュレーション情報を生成させ、前記シミュレーション情報を画像として表示させ、前記シミュレーション情報を音楽として再生させ、前記調整済みの音楽情報を外部へ送信させることを特徴とする。このような構成により、車室内に出力される調整済みの音楽情報をシミュレーションすることができ、ユーザにとって最も望ましい音楽情報をシミュレーション装置で生成した上で、外部に送信することが可能となる。
【発明の効果】
【００１３】
本発明のシミュレーション装置によれば、車室内に出力される音楽を予めシミュレーションした上で調整できるとともに、半導体集積回路を別途設ける必要ないため、オーディオ装置の製造価格を低減させることが可能となる。
【発明を実施するための最良の形態】
【００１４】
以下、本発明の実施の形態について、図面を参照して具体的に説明する。
【００１５】
（第１実施形態）
図１は本発明の第１実施形態に係るシミュレーション装置１００の機能ブロック図である。図１に示すように、シミュレーション装置１００は、所定の情報を入力する入力部１と、入力部１に接続され、入力された所定の情報を記憶する記憶部３と、を有する。入力部１は、例えば、キーボード、ポインティングデバイス（マウス）、タッチパネル等で構成され、また、記憶部３は、ＳＲＡＭやフラッシュメモリ等の半導体メモリで構成される。シミュレーション装置１００は、ＰＣ等によって構成されることが好ましい。
【００１６】
所定の情報には、例えば、車種、車室内の寸法、座席の材質、スピーカの位置、使用するオーディオ装置、測定音データなど車両に関する情報（以下、車両情報という。）と、音楽情報の音質を調整するための調整情報とがある。したがって、記憶部３には、車両情報及び調整情報が記憶されることになる。
【００１７】
記憶部３には、音楽情報生成部５と、シミュレーション情報生成部７とを有する制御部８が接続される。音楽情報生成部５は、調整前の音楽情報と、記憶部３に記憶される調整情報とから調整後の音楽情報を生成する機能を有する。また、シミュレーション情報生成部７は、調整前の音楽情報または調整後の音楽情報と、記憶部３に記憶される車両情報とから、シミュレーション情報となる音圧分布、周波数特性及びシミュレーション音楽情報を生成する機能を有する。これらの機能によって生成された情報は記憶部３に記憶される。
【００１８】
記憶部３には、さらに、送信部９と、表示部１１とが接続される。送信部９は、調整後の音楽情報を外部へ出力する機能を有する。また、表示部１１は、液晶ディスプレイやＣＲＴディスプレイ等で構成され、車両情報を入力する入力画面、音楽情報を調整するイコライザ調整画面、シミュレーション結果を示す音圧分布画面または周波数特性画面等を表示する機能を有する。
【００１９】
このように構成されたシミュレーション装置１００の動作について説明する。
【００２０】
ユーザから予め音楽情報が入手されると、シミュレーション装置１００の記憶部３が当該音楽情報を記憶する。当該音楽情報はインターネットからダウンロードされたり、他の記録媒体から転送されたりして入手される。なお、以下の説明において、当該音楽情報を調整前音楽情報という。次に、ユーザから入力部１が操作され、車両情報が入力されると、記憶部３は当該車両情報を記憶する。
【００２１】
車両情報は、例えば、表示部１１に表示される入力画面によって入力される。図２は、車両情報を入力する入力画面の一例である。図２に示すように、例えば、「製造会社」は、車の製造会社を決定する項目であって、ユーザによって、プルダウン等で選択される。また、「車種」は、車の車種を決定する項目であって、ユーザによって当該製造会社が製造した車の車種がプルダウン等で選択される。なお、車種は、製造会社が決定された時点で、その製造会社から製造されている車の車種を抽出して表示させるようにしてもよい。このように設計することで、製造会社から製造された車種以外の車種は表示する必要性がなくなる。
【００２２】
次に、ユーザによって当該車種の車室の寸法が入力される。車室の寸法は、「長さ」、「幅」、「高さ」で構成され、それぞれの項目に対し入力画面で表示される車種の画像に対応する寸法を入力する。なお、車種のパンフレット等に記載された車室の寸法が予め記憶部３に記憶されていることで、車種が決定された時点で車室の寸法をそれぞれの項目に表示させるようにしてもよい。
【００２３】
さらに、ユーザによって車室内に配置されるスピーカの位置やシートの材質が選択される。例えば、車室内に配置されるスピーカが車室内のフロント（前部）に配置されるのであれば、「フロント」のチェックボックスにチェックが入力される。また、シートの材質が、例えば、「革」、「ポリエステル」等であれば、ユーザによってプルダウンで選択される。すべての項目が入力された場合には、ユーザによって「ＯＫ」ボタンを選択される。これによって、記憶部３は車両情報を記憶する。
【００２４】
車両情報等が記憶部３に記憶された後、シミュレーション情報生成部７は当該車両情報と調整前音楽情報とからシミュレーション情報を生成する。生成後、表示部１１はシミュレーション結果選択画面を表示する。図３は、シミュレーション結果選択画面の一例であるが、シミュレーション結果選択画面は、車両情報と調整前音楽情報とから生成されるシミュレーション結果の表示方法を選択する画面である。シミュレーション結果は、音圧分布または周波数特性グラフとして表示することができ、さらに、周波数特性グラフは、運転席側、助手席側、運転席側後部座席、助手席側後部座席の４種類から選択することが可能である。ユーザによって所望のラジオボタンが選択されることによって、表示部１１は所望のシミュレーション結果を表示する。また、音楽再生部１２は、車両情報と調整前音楽情報または調整後音楽情報とから生成されるシミュレーション音楽情報を再生する。
【００２５】
図４は、シミュレーション結果を周波数特性グラフとして表示する画面の一例である。図４に示すように、周波数特性グラフは、Ｘ軸に周波数（Ｈｚ）、Ｙ軸に音圧レベル（ｄＢ）をとって表示される。このようなグラフをシミュレーション装置１００の表示部１１に表示することによって、音楽情報が車室内に出力された場合における音響効果についてユーザは事前に視認することが可能となる。ここで、ユーザが図４に示すグラフが所望のグラフでないと判断する場合には、ユーザによって画面上の「調整する」が選択されることで、表示部１１はイコライザ調整画面を表示する。
【００２６】
図５は、イコライザ調整画面の一例である。図５に示すように、イコライザ調整画面は、音楽情報の各周波数を変更するスライダ１３と、シミュレーション開始ボタン１４とを有する。ユーザによって入力部１が操作され、当該画面のスライダ１３が操作されることで、所望の調整情報が設定され、記憶部３は当該調整情報を記憶する。
【００２７】
記憶部３に記憶される調整前音楽情報及び上述した調整情報とから、音楽情報生成部５は、調整後の音楽情報を演算する。生成された調整後の音楽情報は記憶部３に記憶される。なお、以下の説明において、前記音楽情報を調整後音楽情報という。さらに、シミュレーション情報生成部７は、車両情報及び調整後音楽情報とから調整後音楽情報のシミュレーション結果を生成する。
【００２８】
調整後音楽情報のシミュレーション結果を表示する場合には、上述したようにユーザによって図３に示すシミュレーション結果選択画面のラジオボタンが選択されることで行われる。例えば、運転席側後部座席の周波数特性グラフを参照した場合には、シミュレーション結果選択画面にてその旨が選択され、表示部１１は図６に示すような運転席側後部座席の周波数特性グラフを表示し、また、音圧分布図を表示する場合には、シミュレーション結果選択画面にてその旨が選択され、表示部１１は図７に示すような音圧分布図を表示する。なお、ユーザが図６に示すグラフまたは図７に示す音圧分布図が所望の特性でないと判断する場合には、ユーザによって画面上の「調整する」が選択されることで、再度、表示部１１はイコライザ調整画面を表示する。
【００２９】
上述したようにシミュレーション装置１００では、調整前音楽情報に対し、調整情報を加えることができ、調整前音楽情報と調整情報とから得られる調整後音楽情報をシミュレーション装置１００自身の記憶部３が記憶して、さらに、外部に送信することができる。
【００３０】
これらの一連の動作は、フローチャートによって表すことができる。図８は、シミュレーション装置１００の動作を示すフローチャートである。まず、シミュレーション装置１００は、調整前音楽情報を記憶し（Ｓ１０１）、さらに、ユーザによって入力された車両情報を記憶する（Ｓ１０２）。
【００３１】
シミュレーション装置１００は、調整前音楽情報及び車両情報からシミュレーション結果を表示部１１に表示し、または、シミュレーション音楽情報を音楽再生部１２で再生し（Ｓ１０３）、ユーザによる調整情報の入力の要／不要を要求する（Ｓ１０４）。調整前音楽情報に対して、調整情報の入力が不要であれば（Ｓ１０４；Ｙｅｓ）、調整前の音楽情報を送信部９から外部に出力する（Ｓ１０９）。一方で、調整前音楽情報に対して、調整情報の入力が必要であれば（Ｓ１０４；Ｎｏ）、ユーザによってその旨が選択され、イコライザ調整画面へ移行する。
【００３２】
イコライザ調整画面では、ユーザによって所望の調整情報が入力され、シミュレーション装置１００は当該調整情報を記憶し（Ｓ１０５）、さらに、調整情報と調整前音楽情報とから調整後音楽情報を生成する（Ｓ１０６）。シミュレーション装置１００は、調整後音楽情報及び車両情報とからシミュレーション結果を表示部１１に表示し、または、シミュレーション音楽情報を音楽再生部１２で再生し（Ｓ１０７）、再度、ユーザによる調整情報の入力の要／不要を要求する（Ｓ１０８）。調整後音楽情報に対して、調整情報の入力が不要であれば（Ｓ１０８；Ｎｏ）、当該調整後音楽情報を送信部９から外部に出力する（Ｓ１０９）。一方で、調整後音楽情報に対して、調整情報の入力が再度必要であれば（Ｓ１０８；Ｙｅｓ）、ユーザによってその旨が選択された後、イコライザ調整画面へ移行する。
【００３３】
続いて、上述したシミュレーション装置１００を他のオーディオ装置に使用した場合の実施形態について図面を参照して説明する。
【００３４】
図９は、シミュレーション装置１００を使用した車載用オーディオ装置の機能ブロック図である。シミュレーション装置１００には、携帯用オーディオ装置２００が接続され、さらに、当該携帯用オーディオ装置２００には、車載用のオーディオ装置３００が接続されている。
【００３５】
携帯用オーディオ装置２００は、シミュレーション装置１００の送信部９から送信される調整前音楽情報または調整後音楽情報を記録するハードディスク等の記録媒体を有している。なお、当該記録媒体はハードディスクに限定されず、音楽情報を記録するものであればよく、例えば、半導体メモリ等であってもよい。
【００３６】
このように、シミュレーション装置１００を使用して音楽情報を予め調整して、携帯用オーディオ装置２００、さらには、車載用オーディオ装置３００に送信することができる。すなわち、従来のように、車載用オーディオ装置３００において音楽情報を調整する必要がない。このため、車載用オーディオ装置３００に特別な半導体集積回路を内蔵する必要はなく、車載用オーディオ装置３００の製造価格を低減することが可能となる。
【００３７】
（第２実施形態）
次に、本発明の第２実施形態に係るシミュレーション装置について図面を参照して説明する。なお、図１に示されるシミュレーション装置の各部と同様の構成には同一符号を付し、その説明を省略する。
【００３８】
図１０は、シミュレーション装置４００とサーバ装置５００とをネットワークを経由して接続した機能ブロック図である。図１０に示すように、シミュレーション装置４００は、入力部１と、入力部１に接続される記憶部３を有し、記憶部３には、送信部９と、表示部１１が接続される。一方、サーバ装置５００は、記憶部４と、記憶部４に接続され、音楽情報生成部５及びシミュレーション情報生成部７を有する制御部８とを備える。記憶部４は、調整前音楽情報を記憶する機能を有しており、半導体メモリ等によって構成される。そして、シミュレーション装置４００の記憶部３とサーバ装置５００とがネットワークを介して接続される。
【００３９】
このように構成されたシミュレーション装置４００の動作について説明する。
【００４０】
第１実施形態と同様に、シミュレーション装置４００の入力部１からユーザによって車両情報が入力されると、記憶部３が当該車両情報を記憶する。さらに、当該車両情報はネットワークを介してサーバ装置５００に転送され、サーバ装置５００の記憶部４が車両情報を記憶する。サーバ装置５００の記憶部４は予め調整前音楽情報を記憶しており、サーバ装置５００のシミュレーション情報生成部７は調整前音楽情報と車両情報とからシミュレーション情報を生成し、記憶部４に記憶する。
【００４１】
記憶部４に記憶されたシミュレーション情報は、シミュレーション装置４００の記憶部３に転送され、シミュレーション装置４００の記憶部３がシミュレーション情報を記憶する。表示部１１は、記憶部３に記憶されたシミュレーション情報を、第１実施形態と同様に、周波数特性グラフ等として表示、または、音楽再生する。
【００４２】
ここで、ユーザが所望の周波数特性または音質が得られていないと判断する場合には、ユーザによってその旨が選択されることよって表示部１１はイコライザ調整画面を表示する。イコライザ調整画面では、第１実施形態と同様に、ユーザによって入力部１が操作され、当該画面のスライダ１３が操作されることで、所望の調整情報が設定され、記憶部３は当該調整情報を記憶する。
【００４３】
当該調整情報はネットワークを介してサーバ装置５００に転送され、サーバ装置５００の記憶部４が調整情報を記憶する。音楽情報生成部５は、当該調整情報と調整前音楽情報とから調整後音楽情報を生成し、記憶部４が当該調整後音楽情報を記憶する。シミュレーション情報生成部７は、記憶部４に記憶される車両情報及び生成された調整後音楽情報とから調整後音楽情報のシミュレーション情報を生成し、記憶部４が当該シミュレーション情報を記憶する。
【００４４】
記憶部４に記憶されたシミュレーション情報は、シミュレーション装置４００の記憶部３に転送され、シミュレーション装置４００の記憶部３がシミュレーション情報を記憶する。表示部１１は、記憶部３に記憶されたシミュレーション情報を、第１実施形態と同様に、周波数特性グラフ等として表示、または、音楽再生する。
【００４５】
得られた周波数特性グラフ等がユーザの所望のグラフまたは音質であれば、調整情報が再度入力される必要はないため、送信部９は調整後音楽情報を外部へ送信する。なお、得られた周波数特性グラフ等がユーザの所望のグラフでないのであれば、再度調整情報が入力される。
【００４６】
これらの一連の動作についても、フローチャートによって表すことができる。図１１は、サーバ装置５００の動作を示すフローチャートである。まず、サーバ装置５００は、調整前音楽情報を記憶し（Ｓ２０１）、さらに、ユーザによって入力された車両情報がサーバ装置５００に転送され、記憶部４が当該車両情報を記憶する（Ｓ２０２）。
【００４７】
サーバ装置５００は、調整前音楽情報及び車両情報とからシミュレーション情報を生成し（Ｓ２０３）、当該シミュレーション情報を記憶部４に記憶した後、シミュレーション装置４００に送信する（Ｓ２０４）。シミュレーション情報は、シミュレーション装置４００の表示部１１がシミュレーション結果として周波数特性グラフ等で表示する。または、音楽再生部１２がシミュレーション音楽情報を再生する。
【００４８】
ここで、当該シミュレーション結果について、ユーザが所望のグラフまたは音質でないと判断した場合には、シミュレーション装置４００の表示部は、イコライザ調整画面を表示し、ユーザに調整情報を入力するよう要求する。調整情報の入力があった場合には（Ｓ２０５；Ｙｅｓ）、当該調整情報はシミュレーション装置４００の記憶部３に記憶された後、サーバ装置５００の記憶部４に転送され、記憶部４が当該調整情報を記憶する（Ｓ２０６）。一方、そうでない場合には、サーバ装置５００の記憶部４に記憶された調整前音楽情報がシミュレーション装置４００の記憶部３に送信され（Ｓ２１１）、シミュレーション装置４００の記憶部３が当該調整後音楽情報を記憶する。
【００４９】
サーバ装置５００の音楽情報生成部７は、調整前音楽情報と調整情報とから調整後音楽情報を生成し（Ｓ２０７）、記憶部４が当該調整後音楽情報を記憶する。さらに、シミュレーション情報生成部９は、調整後音楽情報と車両情報とから調整後音楽情報のシミュレーション情報を生成し（Ｓ２０８）、記憶部４が当該シミュレーション情報を記憶する。記憶されたシミュレーション情報は、シミュレーション装置４００の記憶部３に送信され（Ｓ２０９）、シミュレーション装置４００の表示部１１がシミュレーション結果として周波数特性グラフ等で表示する。または音楽再生部１２がシミュレーション音楽情報を再生する。
【００５０】
ここで、当該シミュレーション結果について、ユーザが所望のグラフまたは音質でないと判断した場合には、シミュレーション装置４００の表示部は、再度イコライザ調整画面を表示し、ユーザに調整情報を入力するよう要求する。調整情報の入力があった場合には（Ｓ２１０；Ｙｅｓ）、当該調整情報はシミュレーション装置４００の記憶部３に記憶された後、サーバ装置５００の記憶部４に転送され、記憶部４が当該調整情報を記憶する（Ｓ２０６）。一方、そうでない場合には、サーバ装置５００の記憶部４に記憶された調整後音楽情報がシミュレーション装置４００の記憶部３に送信され（Ｓ２１１）、シミュレーション装置４００の記憶部３が当該調整後音楽情報を記憶する。シミュレーション装置４００の送信部９は、当該調整後音楽情報を外部へ送信する。
【００５１】
このように、本発明の第２実施形態に係るシミュレーション装置４００では、音楽情報の調整処理及びシミュレーション処理をサーバ装置５００に処理させることで、シミュレーション装置４００の負荷を低減させることができる。さらに、当該シミュレーション装置４００は、第１実施形態において図８を参照して説明したとおり、他のオーディオ装置と接続することで、調整後音楽情報を当該オーディオ装置に転送することができる。すなわち、車載用オーディオ装置において、音楽情報の調整処理を行わなくても、予めサーバ装置５００で行ったシミュレーション情報をシミュレーション装置４００で視認または試聴した上で、調整後音楽情報を車載用オーディオ装置に転送することが可能となる。このため、車載用オーディオ装置３００に特別な半導体集積回路を内蔵する必要はなく、車載用オーディオ装置３００の製造価格を低減することが可能となる。
【００５２】
なお、本発明は、上述した実施形態に限定されるものではなく、その要旨を逸脱しない範囲内で種々変形して実施することが可能である。例えば、シミュレーション結果を表示する画面は、音圧分布や周波数特性グラフに限られず、車室内に出力される音楽の音響効果を視認できるものであればよい。また、上述した各機能ブロックやフローチャートの各処理は、ＣＰＵ等の処理装置あるいはそこで実行されるプログラム、およびハードディスク等の記憶装置等により実現される。
【産業上の利用可能性】
【００５３】
以上、説明したように、本発明に係るシミュレーション装置によれば、車室内に出力される音楽を予めシミュレーションした上で調整できるとともに、半導体集積回路を別途設ける必要ないため、オーディオ装置の製造価格を低減させることができ、産業上の利用可能性が高い。
【図面の簡単な説明】
【００５４】
【図１】シミュレーション装置の機能ブロック図である。
【図２】車両情報入力画面の一例である。
【図３】シミュレーション結果選択画面の一例である。
【図４】シミュレーション結果を周波数特性グラフとして示す画面の一例である。
【図５】イコライザ調整画面の一例である。
【図６】シミュレーション結果を周波数特性グラフとして示す画面の他の例である。
【図７】シミュレーション結果を音圧分布図として示す画面の一例である。
【図８】シミュレーション装置の動作を示すフローチャートである。
【図９】シミュレーション装置を使用した車載用オーディオ装置の機能ブロック図である。
【図１０】シミュレーション装置とサーバ装置とをネットワークを経由して接続した機能ブロック図である。
【図１１】サーバ装置の動作を示すフローチャートである。
【符号の説明】
【００５５】
１  入力部
３、４  記憶部
５  音楽情報生成部
７  シミュレーション情報生成部
８  制御部
９  送信部
１１  表示部
１２  音楽再生部
１３  スライダ
１４  シミュレーション開始ボタン
１００、４００  シミュレーション装置
２００  携帯用オーディオ装置
３００  車載用オーディオ装置
５００  サーバ装置
【図１】
2008022093.tif 000003
【図２】
2008022093.tif 000004
【図３】
2008022093.tif 000005
【図４】
2008022093.tif 000006
【図５】
2008022093.tif 000007
【図６】
2008022093.tif 000008
【図７】
2008022093.tif 000009
【図８】
2008022093.tif 000010
【図９】
2008022093.tif 000011
【図１０】
2008022093.tif 000012
【図１１】
2008022093.tif 000013